(57)【要約】【課題】安全性が高く、不慣れな使用者でも頚部を適正に破断させることができ、外形も嵩張らないアンプルカット補助具を提供する。【解決手段】シート状の本体１６は、互いに平行な前方及び後方境界線１８，２０によって前端領域１６ａ、中間領域１６ｂ、後端領域１６ｃに区分されている。中間領域１６ｂは、後方境界線２０上の２箇所を起点とし頂点部分が前方境界線１８近傍に達するＵ字状の切り込み２２を有する。本体１６は、後方境界線１８に沿って屈曲され中間領域１６ｂにＵ字孔２２ｂが開口する。アンプルに１２に装着されるとき頭部１２ｄがＵ字孔２２ｂ内に差し込まれ、玉部１２ｃがＵ字孔２２ｂの頂点部分に当接する。頭部１２ｄを前端領域１６ａとＵ字突片２２ａの間に挟んで指で摘み、摘んだ頭部１２ｄをＵ字突片２２ａの側に倒すことができる。【選択図】図１
2012001220.tif 000002
【特許請求の範囲】
【請求項１】
前端領域、中間領域、及び後端領域を有したシート状の本体を有し、
前記中間領域には、頂点部分が前記前端領域近傍に達し基端部が前記後端領域に達するＵ字状の切り込みが設けられ、
前記本体は、前記後端領域と前記中間領域の間で屈曲させると、前記切り込みの内側からＵ字突片が抜け出ることによって前記中間領域にＵ字孔が開口し、
前記本体は、頭部、玉部、頚部及び胴部を有するアンプルが装着され、前記頭部が前記Ｕ字孔内に前記後端領域の側から差し込まれた状態で、前記後端領域に前記胴部の側面が接し、前記後端領域の表面に接した状態で前記胴部の上端が前記中間領域に達すると、前記玉部が前記Ｕ字孔の頂点部分に当接するように設けられ、
前記頭部を前記前端領域と前記Ｕ字突片との間に挟んで指で摘み、前記頭部を前記Ｕ字突片の側に倒すことができるように形成されたことを特徴とするアンプルカット補助具。
【請求項２】
前記本体には、前記アンプルを位置決めするためのアンプル位置決めマークが表示されている請求項１記載のアンプルカット補助具。
【請求項３】
前記本体には、自身を前端領域、中間領域、及び後端領域に区分する平行な前方境界線及び後方境界線が設けられている請求項１記載のアンプルカット補助具。
【請求項４】
前記本体には、使用者が指を添える場所を示す指位置マークが表示されている請求項１記載のアンプルカット補助具。
【請求項５】
前記本体が、包装用箱を構成する箱体形成片と一体に設けられている請求項１乃至４のいずれか記載のアンプルカット補助具。
【請求項６】
前記本体と前記箱体形成片との境界に、分離用の破断線が設けられている請求項５記載のアンプルカット補助具。
【発明の詳細な説明】
【技術分野】
【０００１】
この発明は、注射剤等が封入された容器であるアンプルを開封するときに使用するアンプルカット補助具に関する。
【背景技術】
【０００２】
アンプルは、有底筒状の胴部と、胴部の上端が細く絞られた頚部と、頚部から連続して曲面状に膨らんだ玉部と、玉部から連続して徐々に細くなって伸びている頭部を備え、ガラス素材のものが一般的である。この種のアンプルを開封するときは、アンプルにあるアンプルカットポイントを手前に向けた状態で片方の手で胴部を持ち、もう片方の手の指で頭部を摘んで屈曲させるように力を加え、頚部を破断させることによって頭部を除去する。このとき、頭部に指を添える位置や力の加え方を誤ると、頚部を適正に破断させることができない。また、破断した頚部やガラスの破片が指に触れることによって怪我をするおそれもある。このような問題を回避するため、従来から、様々な形態のアンプルカット用の補助具が提案されている。
【０００３】
例えば、特許文献１に開示されているように、未開封のアンプルの胴部が僅かなクリアランスを空けて内側に収まる筒状のホルダと、その上端の半周程度の範囲に設けられ、アンプルの頭部に対応して所定の長さだけ上方に延びる受容部材と、ホルダ上端の受容部材と対向する位置に設けられ、受容部材側に付勢する力に応じて変位する押圧部材とを備え、これらの部材が弾性を有するフッ素系樹脂等を用いて一体に形成されたアンプル開封用治具がある。このアンプル開封用治具は、押圧部材を支持する弾性ヒンジ部が未開封のアンプルの頚部の位置に配置され、押圧部材がヒンジ部を軸に揺動自在に設けられているので、押圧部材を受容部材に向けて付勢すると、頚部を支点として頭部に倒れ方向の力が加わり、頚部が適正に破断するようにしたものである。また、開封作業中は、アンプルの周囲がホルダ、受容部材及び押圧部に囲まれているので、破断した頚部やガラスの破片が指に触れるおそれもない。
【０００４】
また、特許文献２に開示されているように、軟質ゴム等の素材で成る筒状体であって、一方の端部に左右一対のスリットとダーツ加工が施され、当該端部がスカート状又はラッパ状に開口している状態に保持されるフィンガープロテクターがある。このフィンガープロテクターを使用するときは、開口状態に保持されている端部から未開封のアンプルの頭部を差し込み、アンプルの頚部を覆わない位置で固定する。そして、片方の手で胴部を持ち、もう片方の手でフィンガープロテクターの外側からアンプルの頭部を摘んで、頭部を倒すような力を加え、頚部を破断させるものである。
【先行技術文献】
【特許文献】
【０００５】
【特許文献１】特開２００３−２６７４９１号公報
【特許文献２】実用新案登録第３０９９４７５号公報
【発明の概要】
【発明が解決しようとする課題】
【０００６】
特許文献１のアンプル開封用治具は、立体的な構造物のため、アンプルの付属品としてアンプルと一緒に包装するには嵩張ってしまうという問題があった。
【０００７】
また、特許文献２のフィンガープロテクターは、開封作業中に指を傷つけ難いという安心感があるものの、アンプルの頭部に力を加える向きや位置が明示されないので、不慣れな使用者が用いると、頚部を適正に破断させることができないものであった。
【０００８】
この発明は、上記背景技術に鑑みて成されたもので、安全性が高く、不慣れな使用者でも頚部を適正に破断させることができ、外形も嵩張らないアンプルカット補助具を提供することを目的とする。
【課題を解決するための手段】
【０００９】
本発明は、前端領域、中間領域、及び後端領域を有したシート状の本体を有し、前記中間領域には、頂点部分が前記前端領域近傍に達し基端部が前記後端領域に達するＵ字状の切り込みが設けられ、前記本体は、前記後端領域と前記中間領域の間で屈曲させると、前記切り込みの内側からＵ字突片が抜け出ることによって前記中間領域にＵ字孔が開口し、前記本体は、頭部、玉部、頚部及び胴部を有するアンプルが装着され、前記頭部が前記Ｕ字孔内に前記後端領域の側から差し込まれた状態で、前記後端領域に前記胴部の側面が接し、前記後端領域の表面に接した状態で前記胴部の上端が前記中間領域に達すると、前記玉部が前記Ｕ字孔の頂点部分に当接するように設けられ、前記頭部を前記前端領域と前記Ｕ字突片との間に挟んで指で摘み、前記頭部を前記Ｕ字突片の側に倒すことができるように形成されたアンプルカット補助具である。
【００１０】
前記本体には、前記アンプルの位置決めするためのアンプル位置決めマークが表示されている。また、前記本体には、使用者が指を添える場所を示す指位置マークが表示されている。さらに、前記本体には、自身を前端領域、中間領域、及び後端領域に区分する平行な前方境界線及び後方境界線が設けられていても良い。
【００１１】
また、前記本体は、包装用箱を構成する箱体形成片と一体に設けられている。さらに、前記本体と前記箱体形成片との境界に、分離用の破断線が設けられているものである。
【発明の効果】
【００１２】
この発明のアンプルカット補助具は、アンプルを開封するとき、アンプルの頭部を前端領域とＵ字突片との間に挟んで指で摘むので、指を傷つけ難く、使用者の不安感が解消される。
【００１３】
また、アンプルがアンプルカット補助具本体の所定位置に位置決めされ、かつ、アンプルの頭部に加えられる力の向きが、本体の中間領域が後方境界線を軸に揺動可能な向きに規制され、頚部を安定的に適正破断させることができる。特に、アンプルカット補助具本体にアンプル位置決めマークや指位置マークを設けることにより、初心者や不慣れな使用者でも取り扱いを誤らないようにすることができる。
【００１４】
さらに、アンプルカット補助具は、通常はシート状の平坦な状態にできるので、アンプルと一緒に包装して保管などするときにも嵩張らない。また、アンプルカット補助具を、包装用箱を形成する箱体形成片の一部として一体に設ければ、個別部材として製造などする手間も不要なため、コストの負担なく使用者にアンプルカット補助具を提供することができる。
【図面の簡単な説明】
【００１５】
【図１】この発明の一実施形態のアンプルカット補助具を示す左側面図（ａ）、正面図（ｂ）である。
【図２】未開封のアンプルの外観を示す正面図である。
【図３】この実施形態のアンプルカット補助具が一体に設けられた包装用箱の展開図である。
【図４】組立途中の包装用箱の開口部にアンプル用トレイが収容される様子を示す斜視図（ａ）、開口部が閉じられた様子を示す斜視図（ｂ）である。
【図５】この実施形態のアンプルカット補助具の本体を２つの境界線で屈曲させる様子を示す左側面図（ａ）、正面図（ｂ）である。
【図６】図５のアンプルカット補助具にアンプルを装着した様子を示す左側面図（ａ）、正面図（ｂ）である。
【図７】アンプルの頭部を倒して頚部を破断する様子を示す左側面図（ａ）、斜視図（ｂ）である。
【図８】この実施形態のアンプルカット補助具が一体に設けられた包装用箱の変形例を示す斜視図（ａ），（ｂ），（ｃ）である。
【発明を実施するための形態】
【００１６】
以下、この発明のアンプルカット補助具の一実施形態について、図１〜図４に基づいて説明する。この実施形態のアンプルカット補助具１０は、１本のアンプル１２、又は２本のアンプル１２を同時に開封することができる補助具である。ここで、開封対象のアンプル１２は、一般的に使用されている注射剤等が封入されたガラス製の容器で、図２に示すように、有底筒状の胴部１２ａと、胴部１２ａの上端が細く絞られた頚部１２ｂと、頚部１２ｂから連続して曲面状に膨らんだ玉部１２ｃと、玉部１２ｃから連続して徐々に細くなって伸びている頭部１２ｄを備え、玉部１２ｃの外径は、胴部１２ａの外径よりも小さい。また、玉部１２ｃには、頭部１２ｄに力を加える方向を示すアンプルカットポイント１２ｅが表示されている。
【００１７】
アンプルカット補助具１０は、商品である未使用のアンプル１２を包装するための包装用箱１４の一部として設けられ、包装用箱１４から切り離すことによってシート状の本体１６が形成される。本体１６は、略長方形であり、図１に示すように、長手方向の上方から順番に、前端領域１６ａ、中間領域１６ｂ、後端領域１６ｃの３つの領域を有し、各領域は互いに平行な前方境界線１８と後方境界線２０とで区分されている。前端領域１６ａの長さはアンプル１２の頭部１２ｄの長さとほぼ等しく、中間領域１６ｂの長さは胴部１２ａの外径とほぼ等しく、後端領域１６ｃは、胴部１２ａの長さよりもやや短めに設けられている。また、中間領域１６ｂには、後方境界線２０上の２箇所を起点とするＵ字状の切り込み２２が設けられ、そのＵ字の幅はアンプル１２の玉部１２ｃの外径よりも僅かに広く、Ｕ字の頂点は前方境界線１８近傍に達している。
【００１８】
本体１６には、アンプル位置決めマーク２４ａ，２４ｂ，２４ｃが印刷されている。アンプル位置決めマーク２４ａは、アンプル１２の頭部１２ｄが前端領域１６ａ側に向けて配置されることを想起させる図柄であって、切り込み２２のＵ字の頂点部を跨ぐ前方境界線１８上の２箇所を起点とし、頭部１２ｄの形状を模したＵ字状の輪郭線が描かれている。アンプル位置決めマーク２４ｂは、アンプル１２の胴部１２ａが後端領域１６ｃに配置されることを想起させる図柄であって、胴部１２ａの形状を模した略矩形の輪郭線が、胴部１２ａの上端面が後方境界線２０上に配置されるように描かれている。アンプル位置決めマーク２４ｃは、アンプル１２のアンプルカットポイント１２ｅがこの位置に配置されることを想起させる図柄であって、切り込み２２の頂点の部分で前端領域１６ａと中間領域１６ｂとに跨るように略円形の輪郭線が描かれている。
【００１９】
さらに、本体１６には、アンプル１２を開封するとき、使用者が指を添える場所を示す指位置マーク２６が印刷されている。指位置マーク２６は、アンプル１２の頭部１２ｄを摘むときに親指を添える位置がアンプル位置決めマーク２４ａの中央部分であることを想起させる図柄であって、２つのアンプル位置決めマーク２４ａの中央部分に跨るように略楕円形の輪郭線が描かれている。
【００２０】
上述したように、アンプルカット補助具１０は、包装用箱１４の一部として設けられている。以下、包装用箱１４の構成について説明する。包装用箱１４は、紙製の一枚のブランクシートを打ち抜いて形成された箱体形成片２８を組み立てて形成される。図３は箱体形成片２８を表面から見た展開図であり、箱体形成片２８は、側面３０，３２，３４，３６が、互いに平行に連接して形成されている。側面３０，３２，３４，３６は、連接している幅方向はほぼ同じ長さであり、連接方向の長さは側面３０，３４が長くて互いにほぼ等しく、側面３２，３６はそれよりも少し短くて互いにほぼ等しい。さらに、側面３０の側縁部には、糊付片３８が設けられている。糊付片３８、側面３０，３２，３４，３６は、各々折罫線４０，４２，４４，４８で区切られており、組立状態で、折罫線４０，４２，４４，４８がほぼ直角に折り曲げられ、糊付片３８の表面が側面３６の裏面に糊付けされて矩形の筒状体を形成する。
【００２１】
側面３０の、４つの側面の連接方向に対して直角な方向の一端部には、端面５０と糊付片５２とが連接され、側面３０、端面５０及び糊付片５２は、各々折罫線５４，５６で区切られて設けられている。さらに、糊付片５２には、折罫線５６と平行に、糊付片５２の中心を通過する一対の開封用切り込み線５８が設けられ、折罫線５６の側が差し込み部５２ａ、開封用切り込み線５８を挟んで反対側が糊付部５２ｂである。糊付片５２は、組立状態で、糊付部５２ｂの裏面が側面３４の表面に糊付けされ、端面５０が４つの側面３０，３２，３４，３６で成る筒状体の一端を塞ぐ。
【００２２】
側面３０の、折罫線５４と反対側の端部にも、矩形の端面６２が折罫線６４で区切られて設けられている。端面６２は、組立状態で、後述する糊付片６６が糊付けされ、４つの側面３０，３２，３４，３６で成る筒状体の他の一端を塞ぐ。
【００２３】
側面３２の、側面３０の折罫線５４に隣接する端部には、矩形のフラップ７２が折罫線７４で区切られて設けられている。上記アンプルカット補助具１０はフラップ７２から切り出されたものであり、ここでは、アンプルカット補助具１０と他の部分との境界には、分離を容易にするためのミシン線７６が設けられている。
【００２４】
側面３２の、折罫線７４と反対側の端部にも、上記フラップ７２とほぼ同形のフラップ７８が折罫線８０で区切られて設けられている。
【００２５】
側面３４の、側面３２の折罫線８０に隣接する端部には、矩形の糊付片６６が折罫８２で区切られて設けられている。糊付片６６には、折罫線８２と平行に、糊付片６６の中心を通過する一対の開封用切り込み線８４が設けられ、折罫線８２の側がフラップ部６８ａ、開封用切り込み線８４を挟んで反対側が糊付部６８ｂである。糊付片６６は、組立状態で、糊付部６８ｂの裏面が端面６２の表面に糊付けされ、端面６２を固定する。
【００２６】
側面３６の、側面３４の折罫線８２に隣接する端部には、上記フラップ７２とほぼ同形のフラップ８６が折罫線８８で区切られて設けられている。側面３６の、折罫線８８と反対側の端部にも、上記フラップ８６とほぼ同形のフラップ９０が折罫線９２で区切られて設けられている。
【００２７】
箱体形成片２８を組み立てるときは、まず、糊付片３８、側面３０，３２，３４，３６を、折罫線４０，４２，４４，４８でほぼ直角に折り曲げ、糊付片３８の表面を側面３６の裏面に糊付けし、矩形の筒状体の状態にする。次に、筒状体の開口を塞ぐようにフラップ７８，８６、端面６２を順に折り曲げ、その後、糊付片６６の糊付部６８ｂの裏面を端面６２の表面に糊付けし、端面６２を固定する。この時点で包装用箱１４は、図４（ａ）の状態になっている。
【００２８】
包装される未使用のアンプル１２は、専用のアンプルトレイ９０内に並べられ、複数枚のアンプルトレイ９０が包装用箱１４内に収容される。アンプルトレイ９０は、例えば図４（ａ）に示すように、矩形の紙をコの字状に折り曲げた台紙９０ａと、台紙９０ａの内側に固定された断面波形に形成された波状紙９０ｂとで構成され、波状紙９０ａの谷の部分にアンプル１２が納められる。また、アンプルトレイ９０の外形は、所定の枚数だけ重ねることによって、包装用箱１４の内部にちょうど収まるように設定されている。
【００２９】
アンプル１２を納めたアンプルトレイ９０を包装用箱１４内に収納すると、開口部を塞ぐようにフラップ７２，９０、端面５０の順に折り曲げ、その後、糊付片５２の糊付部６８ｂの裏面を側面３４の表面に糊付けし、端面５０を固定する。以上で梱包作業が終了し、包装用箱１４は、図４（ｂ）に示す状態になる。
【００３０】
梱包された包装用箱１４を開封するときは、糊付片５６の開封用切り込み線５８を破断して端面５０を開き、内部のアンプル１２を取り出す。さらに、フラップ７２に設けられたアンプルカット補助具１０を切り出す。アンプルカット補助具１０は、周囲にミシン線７６が設けられているので、はさみやカッター等を使用しなくても容易に分離することができる。必要な分だけアンプル１２を取り出した後は、端面５０を閉じて開口を塞ぎ、側面３４の内側に差し込み部５２ａを差し込んで端面５０が閉じた状態に再封することができる。なお、糊付片６６の開封用切り込み線８４は、通常は使用せず、包装用箱１４を廃棄する際に破断する。それにより、端面６０の固定が解除され容易に解体することができる。
【００３１】
次に、アンプルカット補助具１０を用いてアンプル１２を開封する動作について、図５〜図７に基づいて説明する。まず、アンプルカット補助具１０の本体１６を、図５に示すように、後方境界線２０で屈曲させる。このとき、中間領域１６ｂの切り込み２２の内側部分からＵ字突片２２ａを抜き出して後端領域１６ｃから真っ直ぐに延びた状態にし、中間領域１６ｂにＵ字孔２２ｂを開口させる。さらに、必要があれば、前端領域１６ａが後端領域１６ｃとほぼ平行になるように、前方境界線１８で屈曲させるとよい。
【００３２】
次に、図６に示すように、アンプルカット補助具１０にアンプル１２を装着する。まずアンプル１２の頭部１２ｄを、後端領域１６ｃの側からＵ字孔２２ａ内に差し込み、胴部１２ａ側面が後端領域１６ｃの表面に接した状態で胴部１２ａ上端を後方境界線２０の位置に合わせる。すると、玉部１２ｃがＵ字孔２２ｂの頂点部分に当接する。
【００３３】
この時、本体１６に印刷されているアンプル位置決めマーク２４ａ，２４ｂ，２４ｃがアンプル１２の配置の目印になるので、不慣れな使用者でも容易行うことができる。さらに、アンプル１２のアンプルカットポイント１２ｅをアンプル位置決めマーク２４ｃに合わせることにより、アンプル１２に力を掛ける位置を正確に設定することができる。
【００３４】
その状態でアンプル１２の頭部１２ｄを、前端領域１６ａとＵ字突片２２ａとの間に挟んで指で摘み、図７（ａ）に示すように、後方境界線２０を軸にして頭部１２ｄをＵ字突片２２ａ側に倒す力を加えて頚部１２ｂを破断し、頭部１２ｂを除去する。操作方法としては、図７（ｂ）に示すように、使用者の片方の手（ここでは右手）で胴部１２ａと後端領域１６ｃを固定し、もう一方の手（ここでは左手）で頭部１２ｄを摘んで頭部１２ｄを倒す動作を行う。このとき、本体１６に印刷されている指位置マーク２６が目印となり、使用者がアンプル１２の頭部１２ｄを摘むときに、自然に親指を指位置マーク２６の位置、すなわち、アンプル１２の頭部１２ｄの中央部分に添えることになり、頭部１２ａを適正な力と方向に傾けることができる。
【００３５】
以上説明したように、アンプルカット補助具１０は、アンプル１２を開封するとき、頭部１２ｄを前端領域１６ａとＵ字突片２２ａとの間に挟んで指で摘むので、指を傷つけ難く、使用者の不安感が解消される。また、アンプル１２が本体１６の所定位置に位置決めされ、かつ、頭部１２ｄに加えられる力の向きが、本体１６の中間領域１６ｂが後方境界線２０を軸に揺動可能な向きに規制され、頚部１２ｂを安定的に適正破断させることができる。特に、本体１６にアンプル位置決めマーク２４ａ，２４ｂ，２４ｃや指位置マーク２６が印刷してあるので、不慣れな使用者でも取り扱いを誤る可能性が低い。
【００３６】
さらに、アンプルカット補助具１０は、通常はシート状の平坦で嵩張らない状態にできるので、例えば、使用後に包装用箱１４内に保管したいときは、図４（ａ）のアンプルトレイ９０と包装用箱１４との隙間に差し込む等して容易に収納することができる。また、アンプルカット補助具１０を、包装用箱１４を形成する箱体形成片２８の一部として一体に設けているので、個別部材として製造する手間がなく、極めて安価にアンプルカット補助具１０を提供することができる。
【００３７】
なお、この発明は、上記実施形態に限定されるものではなく、アンプルの包装用箱を構成する箱体形成片と一体にアンプルカット補助具を設けるとき、アンプルカット補助具を箱体形成片のどの部分に設けるかは自由である。例えば、図８に示す包装用箱９４は、全体として包装用箱１４と類似の構造であるが、アンプルトレイ９４を１枚だけ収容できる小形の箱体なのでフラップ９６が小さく、フラップ９６の位置にアンプルカット補助具を設けることができない。そこで、包装用箱９４では、比較的面積の広い側面９８を内面９８ａと外面９８ｂの２重構造とし、アンプルカット補助具１０を外面９８ｂの部分に設けてある。このような構造にすれば、上述した包装用箱１４と同様の効果を得ることができ、また、外面９８ｂのアンプルカット補助具１０を切り出して開口した部分が内面９８ａによって塞がれるのでアンプルの保管性の面について安心である。
【００３８】
上記アンプルカット補助具１０は最大２本のアンプルを開封できるものであるが、Ｕ字突片やＵ字孔等の構成を１組だけ設け、１本のアンプルだけを開封できる構成にしてもよい。また、アンプルの外形が小形のときは、３本以上のアンプルを同時に開封できる構成にしてもよい。
【００３９】
また、前方及び後方境界線は、使用時に屈曲させやすくするため、あらかじめ折罫線の形態に設けてもよい。作業性の面で支障がなく視認の必要もなければ、仮想の境界線として定義するだけよい。
【００４０】
また、アンプル位置決めマークや指位置マークの図柄は、上述した趣旨を満たす範囲で変更してもよく、また、本体の後端領域にアンプルの胴部を握るときの望ましい指位置を描いてもよい。
【００４１】
また、本体１６の外形は矩形に限定されるものではなく、デザイン性や取り扱いの容易性等を考慮し、上述したアンプルの開封動作を妨げない範囲で変更することができる。
【符号の説明】
【００４２】
１０  アンプルカット補助具
１２  アンプル
１２ａ  胴部
１２ｂ  頚部
１２ｃ  玉部
１２ｄ  頭部
１２ｅ  アンプルカットポイント
１４  包装用箱
１６  本体
１６ａ  前端領域
１６ｂ  中間領域
１６ｃ  後端領域
１８  前方境界線
２０  後方境界線
２２  切り込み
２２ａ  Ｕ字突片
２２ｂ  Ｕ字孔
２４ａ，２４ｂ，２４ｃ  アンプル位置決めマーク
２６  指位置マーク
２８  箱体形成片
９４  包装用箱
【図１】
2012001220.tif 000003
【図２】
2012001220.tif 000004
【図３】
2012001220.tif 000005
【図４】
2012001220.tif 000006
【図５】
2012001220.tif 000007
【図６】
2012001220.tif 000008
【図７】
2012001220.tif 000009
【図８】
2012001220.tif 000010